(57)【要約】      （修正有）【課題】仮留めの際の作業性に優れ、かつ、通常の段ボール箱と同程度の強度を有することができる段ボール箱を提供する。【解決手段】対向する前壁２及び後壁３並びに対向する左右一対の側壁４ａ，４ｂを有する四角筒状部と、上記前壁及び後壁の各上端縁から延出する一対の上側外フラップ５ａ，５ｂと、上記各側壁の各上端縁から延出する一対の上側内フラップ６ａ、６ｂとを備える段ボール箱１であって、上記上側内フラップの少なくとも一方が、先端縁Ａから切り込まれた切込線１０を有し、該切込線が、上側内フラップにおける後端縁の垂直二等分線Ｌとの交点を有することを特徴とする。【選択図】図１
0003168170.tif 000002
【実用新案登録請求の範囲】
【請求項１】
対向する前壁及び後壁並びに対向する左右一対の側壁を有する四角筒状部と、
上記前壁及び後壁の各上端縁から延出する一対の上側外フラップと、
上記各側壁の各上端縁から延出する一対の上側内フラップと
を備える段ボール箱であって、
上記上側内フラップの少なくとも一方が、先端縁から切り込まれた切込線を有し、
上記切込線が、上側内フラップにおける後端縁の垂直二等分線との交点を有することを特徴とする段ボール箱。
【請求項２】
上記切込線が、
一端を上記先端縁上に有し、上記垂直二等分線と略平行方向に延出する第一線状部と、
一端を上記第一線状部の他端上に有し、略直線状に、かつ、上記垂直二等分線側へ延出する第二線状部と、
一端を上記第二線状部の他端上に有し、上記垂直二等分線と略垂直方向に延出する第三線状部と
を有する請求項１に記載の段ボール箱。
【請求項３】
上記第一線状部と第二線状部とが、及び第二線状部と第三線状部とが、それぞれなだらかに連結し、
上記第一線状部と第二線状部とがなす角の角度が、１４０°以上１７０°以下である請求項２に記載の段ボール箱。
【請求項４】
上記切込線が、上記垂直二等分線を中心とした幅５ｃｍの帯状領域内に設けられている請求項１、請求項２又は請求項３に記載の段ボール箱。
【請求項５】
上記上側内フラップにおける先端縁と上記垂直二等分線との交点を先端点、後端縁と上記垂直二等分線との交点を後端点とした場合、
上記交点が、先端点と後端点とを１：３に内分する点と、先端点と後端点とを３：１に内分する点との間に位置する請求項１から請求項４のいずれか１項に記載の段ボール箱。
【考案の詳細な説明】
【技術分野】
【０００１】
本考案は、段ボール箱に関するものである。
【背景技術】
【０００２】
段ボール箱は、商品の輸送から陳列までの間、複数の商品をまとめて収容する容器等として用いられている。段ボール箱は、あらかじめ下側のフラップを折り込み底部を形成した状態で、箱内部に商品等を収納した後、一対の上側内フラップと一対の上側外フラップとを順次折り込み、外フラップ同士の突き合わせ部分から左右の側壁にかけて粘着テープ等を貼着することによって封緘するのが一般的である。
【０００３】
ここで、商品等の収容の際には、開封を容易にするため、上述のように粘着テープ等を用いて外フラップを固定するかわりに、仮留めとして、外フラップ及び内フラップを井げたに組んで蓋を形成する場合がある。しかし、この場合、フラップを井げたに組む際にフラップが折れ曲がるなど変形が生じやすく、また、このようにフラップを井げたに組むこと自体が容易ではない。
【０００４】
そこで、粘着テープ等を用いることなくフラップを固定し、蓋を形成することができるように、フラップの所定の位置に切込等が設けられた構造を有する段ボール箱が提案されている（特開２００６−７６６５１号公報、特開２００９−２１４８９１号公報参照）。しかし、これらの段ボール箱は、フラップに切込が複数又は一定の面積で設けられているため、通常の方法で粘着テープ等を用いて外フラップを固定した場合などにおいて、従来の段ボール箱と比べて、強度が低下する。また、フラップを切込部分に差し込む構造となっているため、仮留めの際の作業性に優れないといった不都合がある。
【先行技術文献】
【特許文献】
【０００５】
【特許文献１】特開２００６−７６６５１号公報
【特許文献２】特開２００９−２１４８９１号公報
【考案の概要】
【考案が解決しようとする課題】
【０００６】
本考案はこれらの不都合に鑑みてなされたものであり、仮留めの際の作業性に優れ、かつ、通常の段ボール箱と同程度の強度を有することができる段ボール箱の提供を目的とするものである。
【課題を解決するための手段】
【０００７】
上記課題を解決するためになされた考案は、
対向する前壁及び後壁並びに対向する左右一対の側壁を有する四角筒状部と、
上記前壁及び後壁の各上端縁から延出する一対の上側外フラップと、
上記各側壁の各上端縁から延出する一対の上側内フラップと
を備える段ボール箱であって、
上記上側内フラップの少なくとも一方が、先端縁から切り込まれた切込線を有し、
上記切込線が、上側内フラップにおける後端縁の垂直二等分線との交点を有することを特徴とする。
【０００８】
当該段ボール箱によれば、上側内フラップが上記切込線を有するため、ワンタッチで上側の４枚のフラップを仮留めして蓋を形成することができ、作業性に優れる。また、当該段ボール箱においては、外フラップには切込等を設ける必要が無く、かつ、上記切込線は一箇所のみで十分であり、さらには、組み立てた際、通常粘着テープが貼られる部分の内側にあたる位置に設けることができる。このため、当該段ボール箱によれば、切込線を設けることによる強度の低下が生じることがほとんど無く、通常の段ボール箱と同程度の優れた強度を有することができる。
【０００９】
上記切込線が、
一端を上記先端縁上に有し、上記垂直二等分線と略平行方向に延出する第一線状部と、
一端を上記第一線状部の他端上に有し、略直線状に、かつ、上記垂直二等分線側へ延出する第二線状部と、
一端を上記第二線状部の他端上に有し、上記垂直二等分線と略垂直方向に延出する第三線状部と
を有することが好ましい。
【００１０】
当該段ボール箱によれば、上記切込線が上記形状を有することで、仮留めにおける封緘及び開封の作業性がさらに高まる。
【００１１】
上記第一線状部と第二線状部とが、及び第二線状部と第三線状部とが、それぞれなだらかに連結し、
上記第一線状部と第二線状部とがなす角（劣角）の角度を、１４０°以上１７０°以下とするとよい。
【００１２】
当該段ボール箱によれば、このように切込線の各部分間をなだらかに形成し、かつ、第二線状部に所定の傾斜を設けることで、封緘及び開封の作業性並びに仮留めの際の固定性等をさらに高めることができる。
【００１３】
上記切込線が、上記垂直二等分線を中心とした幅５ｃｍの帯状領域内に設けられていることが好ましい。当該段ボール箱によれば、このように切込線を上側内フラップの中央部分に設けることで、例えば仮留めした状態で、上側外フラップ同士の突き合わせ部分に粘着テープを固定した場合、切込線が露出することなく粘着テープで被われるため、封緘された段ボール箱が優れた強度を備えることができる。
【００１４】
上記上側内フラップにおける先端縁と上記垂直二等分線との交点を先端点、後端縁と上記垂直二等分線との交点を後端点とした場合、
上記交点が、先端点と後端点とを１：３に内分する点と、先端点と後端点とを３：１に内分する点との間に位置することが好ましい。
【００１５】
当該段ボール箱によれば、上記交点をこのような位置に設けることで、仮留めの際の作業性と、この仮留めした状態の固定性とを高いレベルで両立させることができる。
【考案の効果】
【００１６】
以上説明したように本考案の段ボール箱によれば、ワンタッチで上側フラップを固定して蓋を形成することができるため、仮留めの際の作業性に優れ、かつ、通常の段ボール箱と同程度の強度を有することができる。
【図面の簡単な説明】
【００１７】
【図１】本考案の一実施形態に係る段ボール箱を示す展開図である。
【図２】図１の段ボール箱の一部を示す部分的平面図である。
【図３】図１の段ボール箱の組み立て手順を示す第一の参考図である。
【図４】図１の段ボール箱の組み立て手順を示す第二の参考図である。
【図５】図１の段ボール箱の組み立て手順を示す第三の参考図である。
【考案を実施するための形態】
【００１８】
以下、適宜図面を参照しつつ、本考案の段ボール箱の実施の形態を詳説する。
【００１９】
図１の段ボール箱１は、対向する前壁２及び後壁３並びに対向する左右一対の側壁４（４ａ及び４ｂ）を有する四角筒状部と、上記前壁２及び後壁３の各上端縁から延出する一対の上側外フラップ５（５ａ及び５ｂ）と、上記各側壁４の各上端縁から延出する一対の上側内フラップ６（６ａ及び６ｂ）と、前壁２及び後壁３の各下端縁から延出する一対の下側外フラップ７と、各側壁４の各下端縁から延出する一対の下側内フラップ８とを備えている。
【００２０】
この段ボール箱１は、封緘状態で直方体形状に形成され、均一な厚さの一枚の段ボール紙を用いて形成される。当該段ボール箱１のサイズとしては特に限定されず、内容物である商品の大きさ等を考慮して適宜設定される。なお、図１の段ボール箱１中の細線は折り目を示しており、これらの折り目には折り曲げを容易にする罫線加工が施されていることが好ましい。
【００２１】
段ボール箱１を形成する段ボール紙としては、強度の高さ及び加工成形の容易さの観点から、波形に形成された中芯の表面側に積層される表ライナ及び裏面側に積層される裏ライナを備える両面段ボールが好適に用いられる。この際、縦方向の圧力に対して特に高い強度を有するように、中芯の波の尾根方向が四角筒状部（前壁２、後壁３及び側壁４）の高さ方向となるように設計されることが好ましい。
【００２２】
前壁２及び後壁３は、同型及び同サイズの矩形形状を有している。一対の側壁４も同型及び同サイズの矩形形状を有している。また、前壁２、後壁３及び一組の側壁４は等しい高さに形成されており、これらによって、直方体形状を有する四角筒状部が形成される。
【００２３】
上記前壁２は、一対の側縁のうち側壁４ａと接していない側の側縁に糊代部９を備えている。当該段ボール箱１は、この糊代部９を有することで、四角筒状部を形成する際に、この糊代部９をもう一方の側壁４ｂの側縁と前壁２の側縁が接するように側壁４の内面に接着させることにより、四角筒状部を筒状に固定することができる。
【００２４】
２つの上側外フラップ５（５ａ及び５ｂ）は、同型及び同サイズの矩形形状を有する。この上側外フラップ５は、組み立てた際の外側の蓋となる。そのため、上側外フラップ５の延出方向長さは、側壁４（４ａ及び４ｂ）の幅の１／２となっている。
【００２５】
２つの上側内フラップ６（６ａ及び６ｂ）は、同型及び同サイズの矩形形状を有する。上側内フラップ６の延出方向長さは、上側外フラップ５の延出方向長さと等しくなっている。
【００２６】
２つの下側外フラップ７は、同型及び同サイズの矩形形状を有する。この下側外フラップ７は、組み立てた際の外側の底板となる。そのため、下側外フラップ７の延出方向長さは、側壁４（４ａ及び４ｂ）の幅の１／２となっている。
【００２７】
２つの下側内フラップ８は、同型及び同サイズの矩形形状を有する。下側内フラップ８の延出方向長さは、下側外フラップ７の延出方向長さと等しくなっている。
【００２８】
これらの全フラップ（上側外フラップ５、上側内フラップ６、下側外フラップ７及び下側内フラップ８）の延出方向長さは等しい。従って、各壁（前壁、後壁及び側壁）の上端縁及び下端縁から延出する上側フラップと下側フラップとは同型及び同サイズとなっている。
【００２９】
当該段ボール箱１は、四角筒状部を形成した後、下側内フラップ８を四角筒状部の内側に直角に折り込み、続けて下側外フラップ７を四角筒状部の内側に直角に折り込むことで底を完成させることができる。この際、下側外フラップ７の先端縁同士が突き合わされ、この突き合わせ部分から両側壁４の下部にかけて粘着テープを貼着させることにより段ボール箱１の底が固定される。
【００３０】
上記上側内フラップの一方（上側内フラップ６ａ）は、先端縁Ａから切り込まれた切込線１０を有する（図２参照）。この切込線１０は、上側内フラップ６ａにおける後端縁Ｂの垂直二等分線Ｌとの交点Ｘを有するように形成されている。なお、この垂直二等分線Ｌは、矩形状の上側内フラップ６ａにおいて、延出方向の対称軸と同一である。
【００３１】
当該段ボール箱１によれば、上側内フラップ６ａが上記切込線１０を有するため、仮留めの際、ワンタッチで４枚の上側フラップを固定し、蓋を形成することができ、作業性に優れる。また、当該段ボール箱１においては、上側外フラップ５には切込等が設けられておらず、かつ、上記切込線１０は一箇所のみである。さらには、この切込線１０は、組み立てた際、通常粘着テープが貼られる部分の内側にあたる位置に設けられている。従って、当該段ボール箱１によれば、切込線を設けることによる強度の低下が生じることがほとんど無く、通常の段ボール箱と同程度の優れた強度を有することができる。
【００３２】
この切込線１０は、第一線状部１０ａ、第二線状部１０ｂ及び第三線状部１０ｃからなっている。この切込線１０により、上側内フラップ６ａには、係止片１１が形成されている。
【００３３】
上記第一線状部１０ａは、一端を上記先端縁Ａ上に有し、上記垂直二等分線Ｌと略垂直方向に延出している。
【００３４】
この第一線状部１０ａの一端の位置としては、上記垂直二等分線Ｌから１ｍｍ以上２．５ｃｍ以下離れていることが好ましく、５ｍｍ以上２ｃｍ以下離れていることがさらに好ましい。第一線状部１０ａを垂直二等分線Ｌに対してこのような間隔で設けることで、封緘の作業性と仮留め後の固定性とを両立させることができる。すなわち、第一線状部１０ａと垂直二等分線Ｌとの距離が２．５ｃｍを超える場合は、仮留めの際に必要な上側外フラップの押し込み量が大きくなり、上側内フラップ６ａの変形が生じたり、作業性が低下するおそれがある。逆に、第一線状部１０ａと垂直二等分線Ｌとの距離が１ｍｍ未満の場合は、仮留めした場合も、係止片１１の延出長さが短く、上側外フラップを十分に固定することができなくなる場合がある。
【００３５】
この第一線状部１０ａの長さとしては特に限定されないが、例えば１ｃｍ以上６ｃｍ以下が好ましい。第一線状部１０ａの長さを上記範囲とすることで、封緘の作業性と仮留め後の固定性とを両立させることができる。
【００３６】
上記第二線状部１０ｂは、一端を上記第一線状部１０ａの他端上に有し、略直線状に、かつ、上記垂直二等分線Ｌ側へ延出している。この第二線状部１０ｂ上に、上記交点Ｘが位置している。
【００３７】
この第二線状部１０ｂの長さとしては特に限定されないが、例えば、例えば１ｃｍ以上５ｃｍ以下が好ましい。第二線状部１０ｂの長さを上記範囲とすることで、封緘の作業性と仮留め後の固定性とを両立させることができる。
【００３８】
上記第一線状部１０ａと第二線状部１０ｂとがなす角（劣角）の角度θとしては、１４０°以上１７０°以下が好ましい。第二線状部１０ｂにこのような範囲の傾斜を設けることで、仮留めの際に上側外フラップ５ａがスムーズに係止片１１の内側へ潜り込むため、封緘及び開封の作業性が高まり、かつ、仮留めした際のフラップの固定性等をさらに高めることができる。この角度が１４０°未満の場合は、開封作業性等が低下するおそれがある。逆に、この角度θが１７０°を超える場合は、上側外フラップの押し込みによる係止片１１の固定がスムーズに機能しないおそれがある。
【００３９】
上記第三線状部１０ｃは、一端を上記第二線状部１０ｂの他端上に有し、上記垂直二等分線Ｌと略垂直方向に延出する。この第三線状部１０ｃの長さとしては特に限定されず、例えば３ｍｍ以上２ｃｍ以下である。
【００４０】
上記第一線状部１０ａと第二線状部１０ｂとは、及び第二線状部１０ｂと第三線状部１０ｃとは、それぞれなだらかに連結している。すなわち、それぞれの接点部分は曲線状である。なお、この曲線状部分は、第二線状部１０ｂに含まれる。当該段ボール箱１においては、このように切込線１０の各部分間がなだらかに連結されているため、開封及び封緘の作業性をさらに高めることができる。
【００４１】
上記切込線１０は、上記垂直二等分線Ｌを中心とした幅５ｃｍの帯状領域Ｄ内に収まるように設けられている。当該段ボール箱１によれば、このように切込線１０を上側内フラップ６ａの中央部分に設けることで、例えば仮留めした状態で、上側外フラップ５同士の突き合わせ部分に粘着テープを固定した場合、切込線１０が露出することなく粘着テープで被われるため、封緘された段ボール箱１が優れた強度を備えることができる。
【００４２】
上記上側内フラップ６ａにおける先端縁Ａと上記垂直二等分線Ｌとの交点を先端点Ａ１、後端縁Ｂと上記垂直二等分線Ｌとの交点を後端点Ｂ１とした場合、上記交点Ｘが、先端点Ａ１と後端点Ｂ１とを１：３に内分する点Ｙと、先端点Ａ１と後端点Ｂ１とを３：１に内分する点Ｚとの間に位置することが好ましい。
【００４３】
当該段ボール箱１によれば、上記交点Ｘをこのような位置に設けることで、仮留めの際の作業性と、この仮留めした状態の固定性とを両立させることができる。交点Ｘの位置が点Ｙより先端点Ａ１側に位置する場合、係止片１１の幅が短いため、この係止片１１の強度が弱く、仮留めの際に十分な固定性を発揮することができないおそれがある。一方、交点Ｘの位置が、点Ｚより後端点Ｂ１側に位置する場合、仮留めを行う際に必要な上側外フラップの押し込み量が大きくなるため、各フラップの変形が生じたり、仮留めの作業性が低下するおそれがある。
【００４４】
さらに、この上側内フラップ６ａは、第三線状部１０ｃの他端と接し、かつ、この第三線状部１０ｃと垂直方向に設けられた第二の切込線１２を有している。この第二の切込線の長さとしては、４ｍｍ以上１．５ｃｍ以下程度である。上側内フラップ６ａに、このような第二の切込線１２が設けられていることで、仮留めした際などに、第三線状部１０ｃの切込が伸びて、上側内フラップ６ａの強度が低下することを抑制される。
【００４５】
次に、当該段ボール箱１の使用方法について、図３〜図５を参照に説明する。
【００４６】
当該段ボール箱１は、通常の段ボール箱と同様に、あらかじめ下側外フラップ７及び下側内フラップ８により底部を形成した状態で、箱内部に商品等を収納した後、上側内フラップ６ｂ、上側外フラップ５ｂ、上側内フラップ６ａ及び上側外フラップ５ａを、この順に内側（四角筒状部側）へ折り曲げる。なお、図３は、上側内フラップ６ｂ及び上側外フラップ５ｂを順に折り曲げた状態の参考図であり、図４は、４枚の上側フラップを全て上述の順に折り曲げた状態の参考図である。
【００４７】
なお、図１の状態に各上側フラップを折り曲げた状態において、各上側外フラップ５ａ及び５ｂの先端縁の位置と、上側内フラップの上記垂直二等分線Ｌの位置とは一致する。
【００４８】
次いで、仮留めするため、図４の状態に各上側フラップを折り曲げた状態において、最も外側に位置する上側外フラップ５ａの先端縁側中央部分を手で押さえる。この上側外フラップ５ａを一定量押さえると、上側外フラップ５ａと上側内フラップ６ａとが重なる部分において、上側外フラップ５ａの先端縁が、上側内フラップ６ａが有する係止片１１の内側に潜り込む。この状態において、手を離すことで、係止片１１により上側外フラップ５ａが固定されることで、各上側フラップを仮留めすることができる（図５参照）。
【００４９】
当該段ボール箱１によれば、上側内フラップ６ａが特定の形状からなる切込線１０（及びこの切込線により形成される係止片１１）を有するため、このようにワンタッチで４枚の上側フラップを固定し、蓋を形成することができ、仮留め作業性に優れる。特に、当該段ボール箱１によれば、仮留めの状態において、最も外側の上側外フラップ５ａが、上側内フラップ６ａに設けられた切込線１０に食い込んだ状態となっているため、この切込線１０から上側内フラップ６ａが外れにくく、仮留め状態の安定性に優れる。
【００５０】
また、当該段ボール箱１においては、上側外フラップには切込等が設けられず、かつ、上記切込線は一箇所のみであり、さらには、組み立てた際、通常粘着テープが貼られる部分の内側にあたる位置に設けることができるため、切込線を設けることによる強度の低下が生じることがほとんど無い。従って、当該段ボール箱１は、通常の段ボール箱と同程度の優れた強度を有することができる。
【００５１】
なお、図５の状態で仮留めされた段ボール箱１は、この状態で、粘着テープを用いて上側外フラップを固定することもできる。また、当該段ボール箱１は、通常の段ボール箱と同様に上側外フラップ５及び上側内フラップ６を折り曲げて、上側外フラップ５同士の突き合わせ部分から左右の側壁４にかけて粘着テープ等を貼着することによって封緘することもできる。当該段ボール箱１においては、このように通常の方法で粘着テープ等を用いて封緘した際に、切込線１０が露出することなく粘着テープで被われるため、封緘された段ボール箱が優れた強度を備えることができる。
【００５２】
なお、本考案の段ボール箱は上記実施形態に限定されるものではなく、例えば、切込線を両方の上側内フラップに設けることもできる。また、曲線状又は一直線状に切込線を設けてもよい。いずれの段ボール箱においても、上記切込線が、上側内フラップにおける後端縁の垂直二等分線との交点を有するように設けられていれば、ワンタッチで上側の４枚のフラップを固定し、蓋を形成することができ、作業性に優れる。
【産業上の利用可能性】
【００５３】
以上のように、本考案の段ボール箱によれば、仮留めの作業性に優れるため、各種商品等を梱包する梱包容器等として好適に用いることができる。
【符号の説明】
【００５４】
１  段ボール箱
２  前壁
３  後壁
４、４ａ、４ｂ  側壁  
５、５ａ、５ｂ  上側外フラップ
６、６ａ、６ｂ  上側内フラップ
７  下側外フラップ
８  下側内フラップ
９  糊代部
１０  切込線
１０ａ  第一線状部
１０ｂ  第二線状部
１０ｃ  第三線状部
１１  係止片
１２  切込線
Ａ  先端縁
Ａ１  先端点
Ｂ  後端縁
Ｂ１  後端点
Ｌ  垂直二等分線
Ｘ  交点
Ｙ  先端点Ａ１と後端点Ｂ１とを１：３に内分する点
Ｚ  先端点Ａ１と後端点Ｂ１とを３：１に内分する点
Ｄ  帯状領域
【図１】
0003168170.tif 000003
【図２】
0003168170.tif 000004
【図３】
0003168170.tif 000005
【図４】
0003168170.tif 000006
【図５】
0003168170.tif 000007